(57)【要約】【課題】汚れ度合いに応じた水質の管理をしつつ、無駄な資源の利用を低減させることができる水質管理システムを提供する。【解決手段】塩素が供給される温浴施設の浴槽水の水質を監視する水質監視システムであって、前記浴槽水の汚れ度合いを検出する汚れ度合い検出部と、塩素濃度の基準値と濃度係数とを対応づけてステージ情報として記憶するステージ情報記憶部と、前記ステージ情報記憶部を参照し、前記汚れ度合い検出部の検出結果に応じた濃度係数に対するステージ情報を選択するステージ選択部と、前記ステージ選択部によって選択されたステージ情報の基準値を読み出す基準値読み出し部と、前記基準値読み出し部が読み出した基準値の塩素濃度となるように、塩素を供給する塩素供給部と、を有する。【選択図】図１
2008229532.tif 000002
【特許請求の範囲】
【請求項１】
浴槽水の水質を検出する水質検出装置であって、
前記浴槽水の残留塩素濃度を測定した測定データを記憶する測定結果記憶部と、
前記測定結果記憶部に記憶された残留塩素濃度の測定結果の履歴に基づいて、汚れ度合いを検出する汚れ度合い検出部と、
を有することを特徴とする水質検出装置。
【請求項２】
前記汚れ度合い検出部は、
前記測定結果記憶部に記憶された測定データの測定時間を積分範囲として、その区間全体の積分値と、その区間内における測定データの積分によって得られる積分値と、の比に基づいて、汚れ度合いを検出することを特徴とする請求項１記載の水質検出装置。
【請求項３】
前記汚れ度合い検出部は、
前記測定結果記憶部に記憶された測定データの変化率に基づいて汚れ度合いを検出することを特徴とする請求項１記載の水質検出装置。
【請求項４】
前記測定結果記憶部は、測定データとして、前記塩素を前記浴槽水に注入する塩素注入ポンプがオンしているオン時間およびオフしているオフ時間を記憶しており、
前記汚れ度合いを検出する汚れ度合い検出部は、前記測定結果記憶部に記憶された、塩素注入ポンプがオンしているオン時間およびオフしているオフ時間に基づいて汚れ度合いを検出する
ことを特徴とする請求項１記載の水質検出装置。
【請求項５】
前記測定結果記憶部は、測定データとして、前記浴槽水を利用する利用者の人数を記憶しており、
前記汚れ度合いを検出する汚れ度合い検出部は、前記測定結果記憶部に記憶された、利用者の人数に基づいて汚れ度合いを検出する
ことを特徴とする請求項１記載の水質検出装置。
【請求項６】
温浴施設の浴槽水の水質を監視する水質監視システムであって、
前記浴槽水の汚れ度合いを検出する汚れ度合い検出部と、
塩素濃度の基準値と濃度係数とを対応づけてステージ情報として記憶するステージ情報記憶部と、
前記ステージ情報記憶部を参照し、前記汚れ度合い検出部の検出結果に応じた濃度係数に対するステージ情報を選択するステージ選択部と、
前記ステージ選択部によって選択されたステージ情報の基準値を読み出す基準値読み出し部と、
前記基準値読み出し部が読み出した基準値の濃度となるように、塩素を供給する指示を出力する制御部と、
を有することを特徴とする水質監視システム。
【請求項７】
浴槽水の水質を監視する水質監視システムであって、
塩素濃度の基準値と濃度係数とを対応づけてステージ情報として記憶するステージ情報記憶部と、
前記塩素を前記浴槽水に注入する塩素注入ポンプがオンしているオン時間およびオフしているオフ時間を検出する駆動時間検出部と、
前記駆動時間検出部の検出結果に基づき、オン時間とオフ時間との比に応じた濃度係数に対応するステージ情報を選択するステージ情報選択部と、
前記ステージ選択部によって選択されたステージ情報の基準値を読み出す基準値読み出し部と、
前記基準値読み出し部が読み出した基準値の濃度となるように、塩素を供給する指示を出力する制御部と、
を有することを特徴とする水質監視システム。
【請求項８】
浴槽水の水質を監視する水質監視システムであって、
前記温浴施設を利用する利用者を検出して人数を算出する人数算出部と、
塩素濃度の基準値と濃度係数とを対応づけてステージ情報として記憶するステージ情報記憶部と、
前記ステージ情報記憶部を参照し、前記人数算出部の算出結果に応じた濃度係数に対するステージ情報を選択するステージ選択部と、
前記ステージ選択部によって選択されたステージ情報の基準値を読み出す基準値読み出し部と、
前記基準値読み出し部が読み出した基準値の濃度となるように、塩素を供給する指示を出力する制御部と、
を有することを特徴とする水質監視システム。
【請求項９】
前記人数検出部は、単位時間内において前記温浴施設を利用した利用者の人数を検出する
ことを特徴とする請求項８記載の水質管理システム。
【発明の詳細な説明】
【技術分野】
【０００１】
本発明は、温浴施設の浴槽水の水質を監視する水質監視システムに関する。
【背景技術】
【０００２】
従来から、プールや風呂等の浴槽内の水質を管理することが行われている。例えば、利用者が浴槽内に入ったりして浴槽内の水が利用されることによって、水が汚れるが、この浴槽内が一定の塩素濃度になるように塩素等の薬液を供給することによって、水質を維持している。このように、水質を維持するために、例えば、一定時間が経過する毎に塩素を注入し、塩素濃度が一定値以上になるように管理される。
このように、塩素等の薬液を注入して浴槽内の水質を管理するためのシステムが提供されている（特許文献１参照）。
【特許文献１】特開平１０−２９０９８５号公報
【発明の開示】
【発明が解決しようとする課題】
【０００３】
しかしながら、上述した特許文献１に示すシステムにおいては、手動で塩素等の薬液を注入したり、タイマーにて一定時間毎に薬液を注入するものであるので、浴槽の利用者があまりいなく、汚れ度合いが低いにも関わらず、過剰な塩素を投入したり、利用者が増大し、汚れ度合いが高いにもかかわらず、塩素投入量が不足してしまう場合も生じてしまう。
また、薬液の他に汚れていない水を補給水として浴槽内に入れる場合もあるが、この補給水は、無駄に投入したりせず、ロスが少ないほうが望ましい。また、補給水の供給によって浴槽内の温度が低下すると、その温度を一定に保つために、浴槽内の水を加熱する必要があるので、加熱するための燃料もなるべく削減することが望ましい。
【０００４】
本発明は、このような事情に鑑みてなされたもので、その目的は、汚れ度合いに応じた水質の管理をしつつ、無駄な資源の利用を低減させることができる水質管理システムを提供することにある。
【課題を解決するための手段】
【０００５】
上述した課題を解決するために、本発明は、浴槽水の水質を検出する水質検出装置であって、前記浴槽水の残留塩素濃度を測定した測定データを記憶する測定結果記憶部と、前記測定結果記憶部に記憶された残留塩素濃度の測定結果の履歴に基づいて、汚れ度合いを検出する汚れ度合い検出部と、を有することを特徴とする。
【０００６】
また、本発明は、上述の水質検出装置において、前記汚れ度合い検出部は、前記測定結果記憶部に記憶された測定データの測定時間を積分範囲として、その区間全体の積分値と、その区間内における測定データの積分によって得られる積分値と、の比に基づいて、汚れ度合いを検出することを特徴とする。
また、本発明は、上述の水質検出装置において、前記汚れ度合い検出部は、前記測定結果記憶部に記憶された測定データの変化率に基づいて汚れ度合いを検出することを特徴とする。
【０００７】
また、本発明は、上述の水質検出装置において、前記測定結果記憶部は、測定データとして、前記塩素を前記浴槽水に注入する塩素注入ポンプがオンしているオン時間およびオフしているオフ時間を記憶しており、前記汚れ度合いを検出する汚れ度合い検出部は、前記測定結果記憶部に記憶された、塩素注入ポンプがオンしているオン時間およびオフしているオフ時間に基づいて汚れ度合いを検出することを特徴とする。
【０００８】
また、本発明は、上述の水質検出装置において、前記測定結果記憶部は、測定データとして、前記浴槽水を利用する利用者の人数を記憶しており、前記汚れ度合いを検出する汚れ度合い検出部は、前記測定結果記憶部に記憶された、利用者の人数に基づいて汚れ度合いを検出することを特徴とする。
【０００９】
また、本発明は、温浴施設の浴槽水の水質を監視する水質監視システムであって、前記浴槽水の汚れ度合いを検出する汚れ度合い検出部と、塩素濃度の基準値と濃度係数とを対応づけてステージ情報として記憶するステージ情報記憶部と、前記ステージ情報記憶部を参照し、前記汚れ度合い検出部の検出結果に応じた濃度係数に対するステージ情報を選択するステージ選択部と、前記ステージ選択部によって選択されたステージ情報の基準値を読み出す基準値読み出し部と、前記基準値読み出し部が読み出した基準値の濃度となるように、塩素を供給する指示を出力する制御部と、を有することを特徴とする。
【００１０】
また、本発明は、浴槽水の水質を監視する水質監視システムであって、塩素濃度の基準値と濃度係数とを対応づけてステージ情報として記憶するステージ情報記憶部と、前記塩素を前記浴槽水に注入する塩素注入ポンプがオンしているオン時間およびオフしているオフ時間を検出する駆動時間検出部と、前記駆動時間検出部の検出結果に基づき、オン時間とオフ時間との比に応じた濃度係数に対応するステージ情報を選択するステージ情報選択部と、前記ステージ選択部によって選択されたステージ情報の基準値を読み出す基準値読み出し部と、前記基準値読み出し部が読み出した基準値の濃度となるように、塩素を供給する指示を出力する制御部と、を有することを特徴とする。
【００１１】
また、本発明は、浴槽水の水質を監視する水質監視システムであって、前記温浴施設を利用する利用者を検出して人数を算出する人数算出部と、塩素濃度の基準値と濃度係数とを対応づけてステージ情報として記憶するステージ情報記憶部と、前記ステージ情報記憶部を参照し、前記人数算出部の算出結果に応じた濃度係数に対するステージ情報を選択するステージ選択部と、前記ステージ選択部によって選択されたステージ情報の基準値を読み出す基準値読み出し部と、前記基準値読み出し部が読み出した基準値の濃度となるように、塩素を供給する指示を出力する制御部と、を有することを特徴とする。
【００１２】
また、本発明は、上述の水質管理システムにおいて、前記人数検出部は、単位時間内において前記温浴施設を利用した利用者の人数を検出することを特徴とする。
【発明の効果】
【００１３】
以上説明したように、この発明によれば、浴槽水の残留塩素濃度を測定した測定データを記憶しておき、この記憶された残留塩素濃度の測定結果の履歴に基づいて、汚れ度合いを検出するようにしたので、浴槽水の汚れ度合いを把握することができる。
また、本発明は、塩素注入ポンプのオン時間およびオフる時間に基づいて、汚れ度合いを検出するようにしたので、塩素の注入状況から汚れ度合いを検出することができる。
また、本発明によれば、利用者の人数に基づいて汚れ度合いを検出するようにしたので、利用者の人数を指標として汚れ度合いを検出することができる。
【００１４】
また、この発明によれば、汚れ度合いを検出して、その汚れ度合いに対応する塩素濃度を基準値として設定するようにしたので、無駄な塩素を注入してしまうことを防ぐことができる。
【００１５】
また、この発明によれば、注入ポンプがオンしていた時間とオフしていた時間の比に基づいて、汚れ度合いを把握して、ステージを変更するようにした。これにより、循環水の濁度が直接的に測定できなくても、塩素濃度と注入ポンプの動作状態から循環水の汚れ度合いを判定し、塩素濃度を制御することができる。これにより、汚れ度合いに応じた塩素の注入を行うことができるので、無駄な塩素注入をすることなく、水質管理をすることができる。
【００１６】
また、本発明によれば、利用者の人数を検出し、その人数に応じた塩素濃度とすることができる。これにより、例えば、混雑する時間帯や、団体客が来たときなどの人数の変動が生じる場合であっても、その利用者が脱衣場等で作業をしている間などに、浴槽に到達する前に予め塩素濃度を高めておくことができるので、浴槽内の負荷が増大してしまって塩素濃度が低下しても、塩素濃度の下限値に到達しないようにすることができる。
【発明を実施するための最良の形態】
【００１７】
以下、本発明の一実施形態による水質監視システムについて図面を参照して説明する。図１は、この発明の一実施形態による水質監視システム１の構成を示す概略構成図である。
この図において、水質監視システム１は、水質の監視対象となる水が循環する浴槽・濾過循環回路１００と、浴槽・濾過循環回路１００を循環する水の監視をする計測・制御回路５００とを有する。
ここで、温浴施設とは、水質を維持しつつ、浴槽に水を循環させて利用する施設のことであり、例えば、大浴場、公衆浴場、プール、温水プール等がある。
【００１８】
浴槽・濾過循環回路１００において、浴槽１０は、循環水を貯留する。回収槽１２は、浴槽１０から溢れる循環水を回収して一時貯留する。送水ポンプ回収槽に貯留された循環水を浴槽・濾過循環回路内を循環させる。除毛器２０は、回収槽１２に貯留され送水ポンプ１５によって送水された循環水、あるいは浴槽１０から底引き回収された循環水から毛などの比較的大きな不純物やゴミ等を除去する。
濾過ポンプ２２は、除毛器２０によって不純物が除去された循環水を濾過装置３５に送出する。薬液タンク３０は、塩素等の循環水の水質を維持するための薬液を貯留する。注水ポンプ３２は、薬液タンク３０に貯留された薬液を濾過ポンプ２２と濾過装置３５との間の循環水に注入する。濾過装置３５は、濾過ポンプ２２によって送出された循環水あるいは注入ポンプによって薬液が注入された循環水を濾過する。この濾過された循環水は、ポンプ等によって、浴槽１０に送出される。
【００１９】
電動三方弁４０は、送水ポンプ１５と除毛器の間の管路（以下、管路Ａと称す）と、濾過装置３５と浴槽１０との間の管路（以下、管路Ｂ）と、計測・制御回路５００とに接続され、管路Ａと管路Ｂとのうちいずれか一方からの循環水を、後述するモード切替制御回路７０からの指示に従って選択して計測・制御回路５００に供給する。
【００２０】
次に、計測・制御回路５００において、計測・制御回路５００は、システム制御盤Ａとシステム制御盤Ｂと残塩計５０、コンピュータ９０、人数検出部５２、補給水センサ５５を有する。
残塩計５０は、電動三方弁４０を介して送出された循環水の残留塩素を検知し、検知した結果を出力する。この残塩系５０は、上述の塩素検出部に相当する。
人数検出部５２は、温浴施設を利用する利用者の人数を検出する。この人数の検出は、例えば、以下に示すものがある。
１）受付にて利用者の受け付けをする毎にスイッチを押下させ、この押下された数をカウンタによって計数する。
２）受付から脱衣場までの間の通路に設置されるカメラにて、浴槽１０に向かう利用者を撮像し、この撮像結果を画像解析し、解析結果から人数を割り出す。
３）受付から浴槽１０までの間にフラップゲート等を設け、このフラップゲートを通過する人数をセンサにて検出してカウントする。
補給水量センサ５５は、浴槽・濾過循環回路１００に供給される補給水の量を検出する。この補給水としては、例えば水道水である。
【００２１】
次に、システム制御盤Ａにおいて、ＡＩカード５１は、残塩計５０から出力されるアナログデータを取り込んでデジタルデータに変換してシーケンサ６２に出力する。ＤＩカード６０は、人数検出部５２、補給水量センサ５５から出力されるデジタルデータを取り込んで、シーケンサ６２に出力する。シーケンサ６２は、ＡＩカード５１、ＤＩカード６０から出力されたデータを参照し、浴槽・濾過循環回路１００への水質の維持・管理を行うための制御をする（後述する）。ＮＷカード６５は、シーケンサ６２からの出力データをシステム制御盤Ｂに出力する。
【００２２】
モード切替制御回路７０は、シーケンサ６２からの指示に基づいて、電動三方弁４０の弁を制御する。注入ポンプ制御回路７２は、シーケンサ６２からの指示に基づき、注入ポンプ３２の駆動（オン）と停止（オフ）とを制御する。補給・補助注入制御回路７５は、シーケンサ６２からの指示に基づいて、補給水の補給を行う補給電動弁を開閉させる。また、補給・補助注入制御回路７５は、二酸化塩素注入装置の制御を行う。この補給水は、例えば、循環水としてまだ使用していない汚れがほぼ無い水であり、循環水に供給することにより、循環水の水質の改善を図ることができる。
【００２３】
システム制御盤Ｂは、計測システム部８０を有し、システム制御盤ＡのＮＷカード６５から出力される各種データをコンピュータ９０に出力する。コンピュータ９０は、システム制御盤Ｂの外部に接続されており、システム制御盤Ｂの計測システム部から出力される各種データを記憶装置にログとして記憶したり、表示装置に表示したりする。また、コンピュータ９０にはキーボードやマウスなどの入力装置が接続されており、この入力装置から入力される指示に応じて、記憶装置内に記憶された各種データを編集することも可能になっている。
【００２４】
次に、シーケンサ６２について図面を用いてさらに説明する。図２は、シーケンサ６２の構成について説明するための概略ブロック図である。この図において、シーケンサ６２は、制御モジュール６００、制御モジュール７００、制御モジュール８００、ステージ決定部９００を有する。
制御モジュール６００において、汚れ度合い算出部６１０は、ＡＩカード５１から出力される残塩信号を受信し、受信した残塩信号から、汚れ度合いを算出する。この算出は、例えば、残塩信号の過去の履歴と、水質を維持または改善するための対策を行った履歴とに基づいて、汚れ度合いを計算する。具体的には、水質を維持または改善するための対策として、単位時間内において、薬液の注入あるいは補給水の注入を行った注入量と、残塩信号が示す塩素濃度の履歴とに基づいて、汚れ度合いを算出する。
ここでは、単位時間内において薬液となる塩素を一定量以上注入しているにもかかわらず、残塩信号が示す塩素濃度が目標値までに達しない場合は、汚れ度合いが高いと判定され、単位時間内において薬液となる塩素を注入していないが、残塩信号が示す塩素濃度が目標値に達している場合には、汚れ度合いが低いと判定される。この判定は、薬液の注入量や注入時間と、塩素濃度とに基づいて算出される。
【００２５】
ステージ情報記憶部６２０は、複数あるステージを識別するためのステージＩＤと塩素濃度の基準値（ここでは、上限値）と濃度係数となる汚れ度合い係数とを対応づけてステージ情報として記憶する。このステージ情報記憶部６２０に記憶される情報の一例を図３に示す。
ここでは、塩素濃度の基準値は、浴槽内の塩素濃度の目標値となる値であり、この値になるように、注入ポンプ３２によって薬液を注入したり注入を停止したりする。ステージ選択部６３０は、ステージ情報記憶部６２０を参照し、汚れ度合い計算部が計算した汚れ度合いに対するステージ情報を選択する。基準値読み出し部６４０は、ステージ選択部６３０によって選択されたステージ情報の基準値を読み出す。
【００２６】
制御モジュール７００において、ステージ情報記憶部７１０は、塩素濃度の基準値（例えば、最大値）と濃度係数とを対応づけてステージ情報として記憶する。このステージ情報記憶部７１０に記憶されるデータの一例を図４に示す。この図に示すように、ステージを識別するためのＩＤ、算出係数、ＯＮ時間、ＯＦＦ時間、汚れ目安、上限値（ｐｐｍ）が対応づけられて記憶されている。算出係数は、ステージ毎に算出係数の範囲が設定されている。この算出係数は、ポンプのＯＮ時間とＯＦＦ時間との比（ポンプのＯＮ時間÷ポンプのＯＦＦ時間）によって算出される。ＯＮ時間は、注入ポンプ３２が継続して駆動している時間であり、ＯＦＦ時間は、注入ポンプ３２が継続して停止状態となっている時間である。汚れ目安は、汚れの度合いを示すステータスであり、「非常にきれい」、「きれい」など、ステージ毎に異なるステータスが設定される。
【００２７】
駆動時間検出部７２０は、塩素を前記浴槽水に注入する塩素注入ポンプがオンしているオン時間およびオフしているオフ時間を検出し検出結果に基づいて、ポンプのＯＮ時間とＯＦＦ時間との比（ポンプのＯＮ時間÷ポンプのＯＦＦ時間）である算出係数を算出する。ステージ情報選択部７３０は、駆動時間検出部７２０が算出した算出係数に対応するステージ情報を選択する。基準値読み出し部７４０は、ステージ選択部７３０によって選択されたステージ情報の基準値を読み出す。
【００２８】
制御モジュール８００において、人数算出部８１０は、温浴施設を利用する利用者を検出して人数を算出する。ここでは、過去の積算人数を計算する、あるいは、単位時間内に利用した人数を計算する。ステージ情報記憶部８３０は、利用者の人数と塩素濃度の基準値とを対応づけてステージ情報として記憶する。このステージ情報記憶部８２０に記憶される情報の一例を図５に示す。この図に示すように、ステージＩＤと、利用者の人数（ここでは、積算人数）、上限値とが対応付けされて記憶される。この積算人数は、例えば、指定される時刻を開始とし、その時刻から利用者が利用した積算人数である。ステージ選択部８３０は、ステージ情報記憶部８２０を参照し、人数算出部の検出結果に応じた濃度係数に対するステージ情報を選択する。基準値読み出し部８４０は、ステージ選択部８３０によって選択されたステージ情報の基準値を読み出す。
【００２９】
ステージ決定部９００は、基準値読み出し部６４０、基準値読み出し部７４０、基準値読み出し部８４０が読み出したステージ情報の基準値を塩素濃度の最大値として設定する。ここでは、基準値読み出し部６４０、基準値読み出し部７４０、基準値読み出し部８４０のいずれかから基準値が出力される毎に、その基準値を最大値として設定してもよく、また、基準値読み出し部６４０、基準値読み出し部７４０、基準値読み出し部８４０のいずれかから出力された基準値のうち、最大の基準値を示したものを最大値として設定するようにしてもよい。
【００３０】
次に、上述のシステムにおいて、薬液の注入と塩素濃度の関係について図６を用いて説明する。ここでは、浴槽内の塩素濃度は、利用者が利用する毎に減少していき（符号ａ）、塩素濃度の下限値として予め決められた値になると、注入ポンプ３２をオンにし、塩素を注入する（符号ｂ）。すると、塩素が注入されることによって、塩素濃度が上昇する（符号ｃ）。そして、塩素濃度が上限値に到達した際、注入ポンプ３２を停止させ、塩素の注入を停止する（符号ｄ）。塩素の注入を停止した直後は、塩素が循環回路内で安定するまで濃度が少し上昇した後（符号ｅ）、減少する（符号ｆ）。
【００３１】
次に、上述したシステムにおける装置の動作について、図７のフローチャートを用いて説明する。まず、水質管理の制御が開始されると、モード切替制御回路７０は、電動三方弁４０を制御し、一定時間毎に三方弁を切り替えて、残塩計５０に浴槽内の循環水を取り込みを行う。残塩計５０は、濃度計測を行い、測定結果ＡＩカード５１に出力する。これにより、順次測定結果がシーケンサ６２内に記録される（ステップＳ１０）。そして、濾過運転が開始されると（ステップＳ２０）、シーケンサ６２は、チェックモードからの切り替え直後であるか否かを判定する（ステップＳ３０）。切り替え直後である場合には、以下に説明するステップＳ８０に移行する。一方、チェックモードからの切り替え直後でない場合は、シーケンサ６２は、塩素濃度が上限値以上であるか否かを判定する（ステップＳ４０）。ここでは、運転開始直後は、例えば、ステージ３の基準値が上限値として設定されている。そして、このステージ３の基準値を上限値とし、塩素濃度がこの上限値未満である場合には、ステップＳ１０に移行し、上限値以上である場合には、注入ポンプ３２をオフにし、塩素の注入を停止する（ステップＳ５０）。
【００３２】
そして、シーケンサ６２の内部に設けられた計時機能によって現在時刻を検出し（ステップＳ６０）、注入ポンプ３２が運転を開始してからステップＳ５０にて停止するまでの時間をカウントし（ステップＳ７０）、注入ポンプ３２がオンしていた時間を算出する（ステップＳ）。そして、シーケンサ６２は、再度濃度を検出し、予め決められた下限値未満であるか否かを判定する（ステップＳ８０）。塩素濃度が下限値以上である場合には、ステップＳ１０に移行し、下限値未満である場合には、注入ポンプ３２をオンにして、塩素の注入を行う（ステップＳ９０）。
【００３３】
そして、シーケンサ６２は、現在時刻を検出して注入ポンプ３２がオフしていた時間を計測する（ステップＳ１００）。そして、シーケンサ６２は、チェックモードから切り替え直後であるか否かを判定し（ステップＳ１１０）、チェックモードからの切り替え直後である場合には、ステップＳ１０に移行し、チェックモードからの切り替え直後ではない場合には、注入ポンプ３２がオンしている時間を計測し（ステップＳ１２０）、汚れ係数を算出する（ステップＳ１３０）。この汚れ係数の算出は、注入ポンプ３２がオンしていた時間とオフしていた時間との比を算出することによって行われる（オン時間÷オフ時間）。汚れ係数が算出されると、シーケンサ６２は、図３のテーブルを参照し、算出された汚れ係数に合致するステージのＩＤを参照し、ステージが変更されたか否かを判定する（ステップＳ１４０）。例えば、算出された汚れ係数に対応するステージが２であった場合、ステージが変更されたと判定して、ステージ２における塩素濃度を読み出し、読み出した塩素濃度を上限値として設定する。一方、ステージに変更がない、すなわち、ステージが３であった場合、シーケンサ６２は、ステージの変更がないものとして、ステップＳ１０に移行する。
【００３４】
ステージに変更があった場合には、上限値の設定変更を行った後、塩素濃度が緊急を要する程度（予め設定される警報レベル）に達しているか否かを判定し（ステップＳ１５０）、達していなければ、ステップＳ１０移行し、達していれば、警報のログをコンピュータ９０に記憶させ（ステップＳ１６０）、コンピュータ９０にて警報を行い（ステップＳ１７０）、ステップＳ１０に移行する。
【００３５】
図８は、汚れが比較的少ない場合における塩素濃度と注入ポンプ３２の動作の関係を説明するための図面である。ここでは、注入ポンプ３２がオンになるが（符号ｂ）、汚れが比較的少ないため（負荷が少ない）、塩素を少し注入した後に、すぐに注入ポンプ３２がオフになる動作が繰り返される。
図９は、汚れが比較的多い場合における塩素濃度と注入ポンプ３２の動作の関係を説明するための図面である。ここでは、汚れが多いため（負荷が高い）、注入ポンプ３２がオンしている時間が一定時間続き（符号ｂ）、一旦オフになるが、まもなくオンになることが繰り返される。また、ここでは、ステージが高い状態が維持されるため、塩素濃度は、高めの値で維持される。
【００３６】
以上説明した実施形態によれば、注入ポンプ３２がオン（駆動）とオフ（停止）を繰り返すうちの１周期におけるオンしていた時間とオフしていた時間の比に基づいて、汚れ度合いを把握して、ステージを変更するようにした。これにより、循環水の濁度が直接的に測定できなくても、塩素濃度と注入ポンプ３２の動作状態から循環水の汚れ度合いを判定し、塩素濃度を制御することができる。これにより、汚れ度合いに応じた塩素の注入を行うことができるので、無駄な塩素注入をすることなく、水質管理をすることができる。なお、濁度を測定しようとすると、リアルタイムに測定結果を得ることができないので、リアルタイムの水質管理を行うことができないが、上述の実施形態によれば、注入ポンプ３２の動作状態に応じてリアルタイムに水質管理を行うことができる。
【００３７】
また、作業員が測定器によって手動で残留塩素を測定し、その測定結果を見て、下限値を下回っていたら塩素を注入したり、上限値を超えていたら注入を停止する、という場合に比べて、無駄な塩素を注入してしまうことを防ぐことができる。
【００３８】
以上説明した実施形態においては、制御モジュール７００の機能によって、注入ポンプ３２のオン、オフの時間に基づいて、ステージを変更することにより、塩素濃度の上限値を変更するようにしたが、利用者の人数をカウントしてステージを変更することも可能である。ここでは、制御モジュール８００の機能によって実現可能である。すなわち、人数検出部５２によって人数を検出し、この検出結果に基づいて、人数を算出し、ステージ情報記憶部８２０に記憶されたテーブルを参照して、カウントされた人数がどのステージに該当するかを判定し、判定した結果と現在設定されたステージとを比較し、ステージの変更があるか否かを判定する。これにより、ステージの変更があれば、順次塩素濃度の上限値が変更され、その利用者の人数に応じて、塩素濃度を制御することができる。
【００３９】
この実施形態によれば、利用者の人数が増大する場合、実際に浴槽に利用者が到達するまえに人数を検出してステージを変更しておくことが可能となる。これにより、例えば、夕方の混雑する時間帯や、団体客が来たときに、利用者が脱衣場等で作業をしている間など、浴槽に到達する前に予め塩素濃度を高めておくことができるので、浴槽内の負荷が増大してしまって塩素濃度が低下しても、塩素濃度の下限値に到達しないようにすることができる。
【００４０】
また、上述した実施形態において、制御モジュール８００は、積算人数に基づいてステージの選択を行うようにしたが、人数の算出は、積算人数に限られるものではなく、単位時間あたりの利用者人数を算出し、算出した単位時間あたり人数に応じてステージの選択をするようにしてもよい。例えば、現在時刻から６０分以内の利用者人数の積算値を一定間隔毎に算出し、算出された人数に応じてステージの選択をするようにしてもよい。なお、この場合、図１１に示すように、ステージＩＤ、過去の単位時間の人数、上限値とが対応づけて記憶される。
【００４１】
また、上述した実施形態において、制御モジュール６００、制御モジュール７００、制御モジュール８００の３つをシーケンサ６２に備えるようにしたが、いずれか１つの制御モジュールで塩素濃度を制御するようにしてもよいし、これらのうち２つまたは３つの制御モジュールを利用して、それぞれの制御モジュールによってステージを選択する。そして、各制御モジュールによって選択されたステージをステージ決定部９００が比較し、これらの中で一番高いステージを選択したものに従って、塩素濃度の上限値を設定するようにしてもよい。
【００４２】
また、上述した実施形態において、ステージ情報に従って、塩素の上限値を設定するようにしたが、ここで設定可能な薬液は塩素に限られるものではなく、他の水質を管理するための薬剤や、補助薬品を適用することも可能である。また、薬液のみならず、補給水を供給する量を設定しておき、補給水を供給するようにしてもよい。また、上述の温浴施設は、大浴場、サウナなどの施設でもよく、プールなどでもよい。
【００４３】
以上説明した実施形態によれば、浴槽水における汚れ状況と連動するパラメータを観測し、水質維持のために必要な情報を解析し、状況に合わせて自動的に実行するようにした。これにより、多人数が入浴する温浴施設において、本システムによる水質監視と自動制御により維持改善が可能となり、薬品の過度な注入を防ぎ、入浴者（ユーザ）に快適な環境を提供し、加えて、水資源の浪費を防ぎ、また、水資源の浪費防止ができることから、補給する水の昇温のための燃料費の節約をすることも可能となる。
【００４４】
なお、上述した実施形態における計測・制御回路システム５００を既存の浴槽・濾過循環回路に設けるようにしてもよい。
【００４５】
次に、上述した実施形態における、浴槽水の水質の検出について説明する。図１におけるシーケンサ６２は、浴槽水の水質を検出する水質検出装置として機能することも可能である。
このシーケンサ６２に、浴槽水の残留塩素濃度を測定した測定データを記憶する測定結果記憶部（図示せず）を設け、この測定結果記憶部に記憶された残留塩素濃度の測定結果の履歴に基づいて、シーケンサ６２が、汚れ度合いを検出する。
この汚れ度合いの検出は、以下のように行うことが可能である。すなわち、測定結果記憶部に記憶された測定データの測定時間を積分範囲として、その区間全体の積分値と、その区間内における測定データの積分によって得られる積分値との比を算出し、算出された比に基づいて、汚れ度合いを検出する。
【００４６】
ここでは、例えば、図１０に示すように、シーケンサ６２は、測定時刻と測定時刻Ｂとの間を測定時間とし、この区間ＡＢにおける、測定データに従って積分して測定データの面積Ｓｂを算出する。また、シーケンサ６２は、区間ＡＢにおける残留塩素濃度が０から基準値Ｋまでの領域の面積Ｓａを算出する。そして、この面積Ｓａと面積Ｓｂとの比を算出し、この比の値を汚れ度合いとして算出する。ここでは、例えば、残留塩素濃度が高い状態が続く場合は、汚れを解消するために塩素が注入されているものとし、この注入量が多ければ、それだけ汚れ度合いが高いものとして把握することが可能である。
なお、この比を算出する場合は、面積Ｓａと面積Ｓｂとの差をＳｃとして算出し、このＳｃと面積Ｓｂとの比を算出するようにしてもよい。
【００４７】
また、シーケンサ６２は、汚れ度合いの検出として、測定結果記憶部に記憶された測定データの変化率に基づいて汚れ度合いを検出するようにしてもよい。ここでは変化率の増減に応じて、汚れ度合いの変化を検出することが可能である。
【００４８】
また、シーケンサ６２は、測定データとして、塩素を浴槽水に注入する塩素注入ポンプがオンしているオン時間およびオフしているオフ時間を記憶するようにし、この記憶された塩素注入ポンプがオンしているオン時間およびオフしているオフ時間に基づいて、汚れ度合いを検出するようにしてもよい。この検出は、上述の実施形態と同様に、オン時間とオフ時間の比を算出することにより検出することが可能である。
また、測定データとして、浴槽水を利用する利用者の人数を記憶するようにし、利用者の人数に基づいて汚れ度合いを検出するようにしてもよい。この人数に基づいて、上述の実施形態と同様に、利用者の人数によって、汚れ度合いを予測することが可能となる。
【００４９】
また、図２におけるシーケンサ６２の機能を実現するためのプログラムをコンピュータ読み取り可能な記録媒体に記録して、この記録媒体に記録されたプログラムをコンピュータシステムに読み込ませ、実行することにより水質管理を行ってもよい。なお、ここでいう「コンピュータシステム」とは、ＯＳや周辺機器等のハードウェアを含むものとする。
【００５０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５１】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００５２】
【図１】この発明の一実施形態による水質監視システム１の構成を示す概略構成図である。
【図２】シーケンサ６２の構成について説明するための概略ブロック図である。
【図３】ステージ情報記憶部６２０に記憶される情報の一例を示す図面である。
【図４】このステージ情報記憶部７１０に記憶されるデータの一例を示す図面である。
【図５】ステージ情報記憶部８２０に記憶される情報の一例を示す図面である。
【図６】薬液の注入と塩素濃度の関係について説明するための図面である。
【図７】図１のシステムにおける装置の動作について説明するためのフローチャートである。
【図８】測定結果の一例を示す図である。
【図９】測定結果の一例を示す図である。
【図１０】測定結果の一例を示す図である。
【図１１】ステージ情報記憶部８２０に記憶される情報の一例を示す図面である。
【符号の説明】
【００５３】
１０  浴槽
３０  薬液タンク
６２  シーケンサ
１００  浴槽・濾過循環回路
５００  計測・制御回路
６００、７００、８００  制御モジュール
９００  ステージ決定部
【図１】
2008229532.tif 000003
【図２】
2008229532.tif 000004
【図３】
2008229532.tif 000005
【図４】
2008229532.tif 000006
【図５】
2008229532.tif 000007
【図６】
2008229532.tif 000008
【図７】
2008229532.tif 000009
【図８】
2008229532.tif 000010
【図９】
2008229532.tif 000011
【図１０】
2008229532.tif 000012
【図１１】
2008229532.tif 000013
【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
管路を介して循環される循環水を貯留する浴槽と、
前記循環水の水質を維持するための塩素を含んだ薬液を貯留する薬液タンクと、
前記管路と前記薬液タンクとに接続され、前記薬液タンクに貯留された薬液の前記管路への注入の開始と注入の停止を行う注入ポンプと、
前記循環水の塩素濃度を検出する残塩計と、
前記注入ポンプによる前記薬液の注入の開始と停止を行う注入ポンプ制御回路と、
前記注入ポンプ制御回路に接続されるシーケンサと、を有し、
前記シーケンサは、
前記注入ポンプが注入の開始と停止を繰り返すうちの１周期における注入と停止をしていた時間との比の値と、当該比の値の大きさに応じて予め定められる塩素濃度の上限値とを対応付けて予め記憶するステージ情報記憶部と、
前記注入ポンプが注入の開始と停止を繰り返すうちの１周期における注入と停止をしていた時間とを検出し、前記注入ポンプの注入が行われている時間と停止されている時間との比を算出する駆動時間検出部と、
前記駆動時間検出部が算出した前記注入ポンプの注入が行われている時間と停止されている時間との比に対応する前記塩素濃度の上限値を前記ステージ情報記憶部から読み出す基準値読み出し部と、
前記基準値読み出し部が読みだした前記塩素濃度の上限値を設定するステージ決定部と
を有し、
さらに、前記シーケンサは、
予め定められる塩素濃度の下限値と、前記ステージ決定部により設定される前記塩素濃度の上限値と、前記残塩計により検出された塩素濃度とに基づいて、前記残塩計により検出された塩素濃度が前記下限値未満である場合、前記注入ポンプに薬液の注入の開始を指示する入力をして塩素濃度が上昇する量の薬液を前記注入ポンプから注入させ、前記残塩計により検出された塩素濃度が前記上限値以上である場合、前記注入ポンプに薬液の注入の停止を指示する入力をして前記薬液の注入を停止させるように前記注入ポンプ制御回路に指示する
ことを特徴とする水質監視システム。
【請求項２】
前記管路は、前記浴槽から除毛器を接続する管路と、前記除毛器と濾過ポンプを接続する管路と、前記濾過ポンプと濾過装置を接続する管路と、前記濾過装置と前記浴槽を接続する管路とを備えており、
前記循環水は、前記浴槽、前記除毛器、前記濾過ポンプ、前記濾過装置の方向に循環されており、
前記注入ポンプは、前記濾過ポンプと前記濾過装置とを接続する管路に接続されており、
前記残塩計は、前記濾過装置と前記浴槽を接続する管路内の循環水の塩素濃度を検出する
ことを特徴とする請求項１に記載の水質監視システム。
【手続補正２】
【補正対象書類名】明細書
【補正対象項目名】０００５
【補正方法】変更
【補正の内容】
【０００５】
上述した課題を解決するために、本発明は、管路を介して循環される循環水を貯留する浴槽と、前記循環水の水質を維持するための塩素を含んだ薬液を貯留する薬液タンクと、前記管路と前記薬液タンクとに接続され、前記薬液タンクに貯留された薬液の前記管路への注入の開始と注入の停止を行う注入ポンプと、前記循環水の塩素濃度を検出する残塩計と、前記注入ポンプによる前記薬液の注入の開始と停止を行う注入ポンプ制御回路と、前記注入ポンプ制御回路に接続されるシーケンサと、を有し、前記シーケンサは、前記注入ポンプが注入の開始と停止を繰り返すうちの１周期における注入と停止をしていた時間との比の値と、当該比の値の大きさに応じて予め定められる塩素濃度の上限値とを対応付けて予め記憶するステージ情報記憶部と、前記注入ポンプが注入の開始と停止を繰り返すうちの１周期における注入と停止をしていた時間とを検出し、前記注入ポンプの注入が行われている時間と停止されている時間との比を算出する駆動時間検出部と、前記駆動時間検出部が算出した前記注入ポンプの注入が行われている時間と停止されている時間との比に対応する前記塩素濃度の上限値を前記ステージ情報記憶部から読み出す基準値読み出し部と、前記基準値読み出し部が読みだした前記塩素濃度の上限値を設定するステージ決定部とを有し、さらに、前記シーケンサは、予め定められる塩素濃度の下限値と、前記ステージ決定部により設定される前記塩素濃度の上限値と、前記残塩計により検出された塩素濃度とに基づいて、前記残塩計により検出された塩素濃度が前記下限値未満である場合、前記注入ポンプに薬液の注入の開始を指示する入力をして塩素濃度が上昇する量の薬液を前記注入ポンプから注入させ、前記残塩計により検出された塩素濃度が前記上限値以上である場合、前記注入ポンプに薬液の注入の停止を指示する入力をして前記薬液の注入を停止させるように前記注入ポンプ制御回路に指示することを特徴とする。
【手続補正３】
【補正対象書類名】明細書
【補正対象項目名】０００６
【補正方法】変更
【補正の内容】
【０００６】
また、本発明は、上述の水質監視システムにおいて、前記管路は、前記浴槽から除毛器を接続する管路と、前記除毛器と濾過ポンプを接続する管路と、前記濾過ポンプと濾過装置を接続する管路と、前記濾過装置と前記浴槽を接続する管路とを備えており、前記循環水は、前記浴槽、前記除毛器、前記濾過ポンプ、前記濾過装置の方向に循環されており、前記注入ポンプは、前記濾過ポンプと前記濾過装置とを接続する管路に接続されており、前記残塩計は、前記濾過装置と前記浴槽を接続する管路内の循環水の塩素濃度を検出することを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】